(57)【特許請求の範囲】
【請求項１】
インクカートリッジが装着されるキャリヤ本体と、
前記キャリヤ本体に対して回動可能に取り付けられ、回動方向に沿って延びる第１側面部に設けられた第１カム溝を有するとともに、インクカートリッジを脱着する際に前記キャリヤ本体の前方斜め上方の領域を開閉して前記インクカートリッジを脱着することが可能に構成されたカバーと、
前記インクカートリッジが保持されるとともに前記カバーの第１カム溝に移動可能に係合する第１係合部を有するアーム部材またはインクカートリッジ収納部材からなるインクカートリッジ上昇部材とを備え、
前方斜め上方の領域を開くための所定方向に前記カバーを回動する動作に伴って、前記カバーとともに前記第１カム溝が前記所定方向に回動されることにより、前記第１カム溝に係合する前記インクカートリッジ上昇部材の第１係合部が前記第１カム溝内を移動しながら前記キャリヤ本体の背面から離間する前方斜め上方に移動されて、前記インクカートリッジ上昇部材に保持された前記インクカートリッジが前記キャリヤ本体の背面から離間する前方斜め上方に移動された後、前記インクカートリッジが移動された方向に沿って脱着されることが可能であるように構成されている、インクジェット装置。
【請求項２】
前記インクカートリッジ上昇部材である前記アーム部材は、前記インクカートリッジを保持するとともに、前記第１係合部を有する第１アーム部材を含み、
前記第１アーム部材の第１係合部は、前記カバーの前記第１側面部に設けられた前記第１カム溝に移動可能に係合するアーム側係合部を含み、
前方斜め上方の領域を開くための所定方向に前記カバーを回動する動作に伴って、前記所定方向に回動される前記第１カム溝に係合する前記第１アーム部材の前記アーム側係合部が前記第１カム溝内を移動しながら前方斜め上方に引き上げられることにより、前記第１アーム部材に保持された前記インクカートリッジが前方斜め上方に持ち上げられて前記キャリヤ本体の背面から離間する前方斜め上方に移動された後、前記インクカートリッジが移動された方向に沿って脱着されることが可能であるように構成されている、請求項１に記載のインクジェット装置。
【請求項３】
前記インクカートリッジ上昇部材であるインクカートリッジ収納部材は、前記インクカートリッジを収納するとともに、前記第１係合部を有するインクカートリッジ収納部を含み、
前記インクカートリッジ収納部の第１係合部は、前記カバーの第１カム溝に移動可能に係合するカートリッジ収納部側係合部を含み、
前方斜め上方の領域を開くための所定方向に前記カバーを回動する動作に伴って、前記所定方向に回動される前記第１カム溝に係合する前記インクカートリッジ収納部の前記カートリッジ収納部側係合部が前記第１カム溝内を移動しながら前方斜め上方に移動される
ことにより、前記インクカートリッジ収納部の移動とともに前記インクカートリッジ収納部に収納された前記インクカートリッジが前方斜め上方に持ち上げられて前記キャリヤ本体の背面から離間する前方斜め上方に移動された後、前記インクカートリッジが移動された方向に沿って脱着されることが可能であるように構成されている、請求項１に記載のインクジェット装置。
【請求項４】
前記インクカートリッジ上昇部材である前記アーム部材は、前記インクカートリッジ収納部の前記カバーの回動方向に沿って延びる第２側面部に回動可能に設けられ、前記キャリヤ本体に対して前記インクカートリッジ収納部が前方斜め上方に移動可能なように回動されるとともに前記キャリヤ本体と前記インクカートリッジ収納部とを接続するための第２アーム部材を含み、
前方斜め上方の領域を開くための所定方向に前記カバーを回動する動作に伴って、前記所定方向に回動される前記カバーの第１カム溝に沿って前記カートリッジ収納部側係合部が前記第１カム溝内を移動され、これにより、前記インクカートリッジ収納部が前記第２アーム部材とともに前方斜め上方に回動されながら前方斜め上方に移動されることにより、前記インクカートリッジ収納部に収納された前記インクカートリッジが前方斜め上方に持ち上げられて前記キャリヤ本体の背面から離間する前方斜め上方に移動された後、前記インクカートリッジが移動された方向に沿って脱着されることが可能であるように構成されている、請求項３に記載のインクジェット装置。
【請求項５】
前記キャリヤ本体は、前記カバーの回動方向に沿って延びる第３側面部に設けられた第２カム溝を有し、
前記インクカートリッジ収納部は、前記キャリヤ本体の第２カム溝に移動可能に係合する第２係合部を有し、
前方斜め上方の領域を開くための所定方向に前記カバーを回動する動作に伴って、前記所定方向に回動される前記カバーの第１カム溝に沿って前記第１係合部が前記第１カム溝内を移動され、これにより、前記インクカートリッジ収納部が前記第２係合部とともに前記第２カム溝に沿って前記第２カム溝内を移動しながら前方斜め上方に移動されることにより、前記インクカートリッジが前方斜め上方に持ち上げられて前記キャリヤ本体の背面から離間する前方斜め上方に移動された後、前記インクカートリッジが移動された方向に沿って脱着されることが可能であるように構成されている、請求項３に記載のインクジェット装置。
【発明の詳細な説明】
【０００１】
【発明の属する技術分野】
この発明は、インクジェット装置に関し、特に、複数のインクカートリッジを装着可能なインクジェット装置に関する。
【０００２】
【従来の技術】
従来、プリンタやプロッター、複写機などのインクジェット装置が知られている。このインクジェット装置の中で、インクカートリッジ（インクペン）の小型化およびカラー印字化によって、複数個のインクカートリッジを並列に配置したものが開発されている。
【０００３】
【発明が解決しようとする課題】
しかしながら、上記した従来の複数個のインクカートリッジを並列に配置するインクジェット装置では、インクカートリッジを交換する際に、隣接するインクカートリッジがあるために、交換作業が行い難いという問題点があった。
【０００４】
そこで、従来、インクカートリッジの交換を容易にする技術が種々提案されている。
【０００５】
たとえば、特開平１１−１７０５５７号公報には、インクカートリッジの上蓋に指で持ちやすくするための突出部と窪みを設ける構造が開示されている。しかし、この提案された構造では、インクカートリッジが小型化された場合には、その突出部および窪みを設けたとしても、それらを指で持ちにくくなるという不都合がある。このため、インクカートリッジが小型化された場合には、交換作業が困難になるという問題点がある。
【０００６】
また、特開平１１−１９２７１９号公報には、カバーを開くことによって、インクカートリッジを上方に持ち上げることにより、インクカートリッジを取り出しやすくした構造が開示されている。しかし、この開示された構造では、インクカートリッジを上方に持ち上げるだけであるので、前方にプリンタの蓋を開けてインクカートリッジを取り出すタイプのプリンタでは、インクカートリッジを取り出すことが困難であるという問題点がある。
【０００７】
なお、特開平７−１３７２８７号公報には、カバーを開けることによってメインテナンスユニットのキャップをインクカートリッジから外す機構が開示されている。しかし、この場合も、インクカートリッジを交換する際に、隣接するインクカートリッジが障害となり、交換作業が行い難いという問題点がある。
【０００８】
この発明は上記のような課題を解決するためになされたものであり、
この発明の一つの目的は、インクカートリッジの交換作業を容易に行うことが可能なインクジェット装置を提供することである。
【０００９】
この発明のもう一つの目的は、上記のインクジェット装置において、カバーを開くだけでインクカートリッジを前方上方へ押し上げることが可能なインクジェット装置を提供することである。
【００１０】
【課題を解決するための手段】
請求項１におけるインクジェット装置は、インクカートリッジが装着されるキャリヤ本体と、キャリヤ本体に対して回動可能に取り付けられ、回動方向に沿って延びる第１側面部に設けられた第１カム溝を有するとともに、インクカートリッジを脱着する際にキャリヤ本体の前方斜め上方の領域を開閉してインクカートリッジを脱着することが可能に構成されたカバーと、インクカートリッジが保持されるとともにカバーの第１カム溝に移動可能に係合する第１係合部を有するアーム部材またはインクカートリッジ収納部材からなるインクカートリッジ上昇部材とを備えている。前方斜め上方の領域を開くための所定方向にカバーを回動する動作に伴って、カバーとともに第１カム溝が所定方向に回動されることにより、第１カム溝に係合するインクカートリッジ上昇部材の第１係合部が第１カム溝内を移動しながらキャリヤ本体の背面から離間する前方斜め上方に移動されて、インクカートリッジ上昇部材に保持されたインクカートリッジがキャリヤ本体の背面から離間する前方斜め上方に移動された後、前記インクカートリッジが移動された方向に沿って脱着されることが可能であるように構成されている。
【００１１】
請求項１では、上記のようにカバーの第１カム溝に係合する第１係合部を有するインクカートリッジ上昇手段を設けることによって、第１カム溝の溝形状を調整すれば、カバーを開けることにより、容易にインクカートリッジを前方上方に押し上げることができる。その結果、隣接するインクカートリッジが障害となることなく、インクカートリッジの交換作業を容易に行うことができる。また、インクカートリッジを前方上方に押し上げることができるので、前方にプリンタの蓋を開けてインクカートリッジを取り出すタイプのプリンタにおいても、インクカートリッジを容易に取り出すことが可能である。
【００１２】
請求項２におけるインクジェット装置は、請求項１の構成において、インクカートリッジ上昇部材であるアーム部材は、インクカートリッジを保持するとともに、第１係合部を有する第１アーム部材を含んでいる。第１アーム部材の第１係合部は、カバーの第１側面部に設けられた第１カム溝に移動可能に係合するアーム側係合部を含み、前方斜め上方の領域を開くための所定方向にカバーを回動する動作に伴って、所定方向に回動される第１カム溝に係合する第１アーム部材のアーム側係合部が第１カム溝内を移動しながら前方斜め上方に引き上げられることにより、第１アーム部材に保持されたインクカートリッジが前方斜め上方に持ち上げられてキャリヤ本体の背面から離間する前方斜め上方に移動された後、前記インクカートリッジが移動された方向に沿って脱着されることが可能であるように構成されている。
【００１３】
請求項２では、上記のように、カバーの第１カム溝に係合する第１係合部を有するとともにインクカートリッジを前方上方に持ち上げるように移動可能な第１アーム部材を設けることによって、カバーを開けると、第１アーム部材の第１係合部がカバーの第１カム溝に沿って移動する。これにより、カバーを開けるだけで、第１アーム部材が前方上方に移動され、その結果、インクカートリッジを前方上方に押し上げることができる。
【００１４】
請求項３におけるインクジェット装置は、請求項１の構成において、インクカートリッジ上昇部材であるインクカートリッジ収納部材は、インクカートリッジを収納するとともに、第１係合部を有するインクカートリッジ収納部を含み、インクカートリッジ収納部の第１係合部は、カバーの第１カム溝に移動可能に係合するカートリッジ収納部側係合部を含み、前方斜め上方の領域を開くための所定方向にカバーを回動する動作に伴って、所定方向に回動される第１カム溝に係合するインクカートリッジ収納部のカートリッジ収納部側係合部が第１カム溝内を移動しながら前方斜め上方に移動されることにより、インクカートリッジ収納部の移動とともにインクカートリッジ収納部に収納されたインクカートリッジが前方斜め上方に持ち上げられてキャリヤ本体の背面から離間する前方斜め上方に移動された後、前記インクカートリッジが移動された方向に沿って脱着されることが可能であるように構成されている。
【００１５】
請求項３では、このようにカバーの第１カム溝に係合する第１係合部を有するとともにインクカートリッジを前方上方に持ち上げるように移動可能なインクカートリッジ収納部を設けることによって、カバーを開けると、インクカートリッジ収納部の第１係合部がカバーの第１カム溝に沿って移動する。これにより、カバーを開けるだけで、インクカートリッジ収納部が前方上方に移動され、その結果、インクカートリッジを前方上方に押し上げることができる。
【００１６】
請求項４におけるインクジェット装置は、請求項３の構成において、インクカートリッジ上昇部材であるアーム部材は、インクカートリッジ収納部のカバーの回動方向に沿って延びる第２側面部に回動可能に設けられ、キャリヤ本体に対してインクカートリッジ収納部が前方斜め上方に移動可能なように回動されるとともにキャリヤ本体とインクカートリッジ収納部とを接続するための第２アーム部材を含み、前方斜め上方の領域を開くための所定方向にカバーを回動する動作に伴って、所定方向に回動されるカバーの第１カム溝に沿ってカートリッジ収納部側係合部が第１カム溝内を移動され、これにより、インクカートリッジ収納部が第２アーム部材とともに前方斜め上方に回動されながら前方斜め上方に移動されることにより、インクカートリッジ収納部に収納されたインクカートリッジが前方斜め上方に持ち上げられてキャリヤ本体の背面から離間する前方斜め上方に移動された後、前記インクカートリッジが移動された方向に沿って脱着されることが可能であるように構成されている。
【００１７】
請求項４では、上記のように、カバーを開くことによって第２アーム部材が前方上方に回動されてインクカートリッジ収納部が前方上方に移動されるので、容易にインクカートリッジを前方上方に押し上げることができる。
【００１８】
請求項５におけるインクジェット装置は、請求項３の構成において、キャリヤ本体は、カバーの回動方向に沿って延びる第３側面部に設けられた第２カム溝を有し、インクカートリッジ収納部は、キャリヤ本体の第２カム溝に移動可能に係合する第２係合部を有し、前方斜め上方の領域を開くための所定方向にカバーを回動する動作に伴って、所定方向に回動されるカバーの第１カム溝に沿って第１係合部が第１カム溝内を移動され、これにより、インクカートリッジ収納部が第２係合部とともに第２カム溝に沿って第２カム溝内を移動しながら前方斜め上方に移動されることにより、インクカートリッジが前方斜め上方に持ち上げられてキャリヤ本体の背面から離間する前方斜め上方に移動された後、前記インクカートリッジが移動された方向に沿って脱着されることが可能であるように構成されている。
【００１９】
請求項５では、上記のように、カバーを開くことによって第２係合部が第２カム溝に沿って前方上方に移動されてインクカートリッジ収納部が前方上方に移動されるので、容易にインクカートリッジを前方上方に押し上げることができる。
【００２０】
【発明の実施の形態】
以下、本発明の実施形態を図面に基づいて説明する。
【００２１】
（第１実施形態）
図１は、本発明の第１実施形態によるインクジェット装置の全体構成を示した正面図であり、図２は、図１の側面図である。図３〜図６は、第１実施形態によるインクジェット装置におけるインクカートリッジの脱着操作を説明するための側面図である。図７は、第１実施形態によるインクジェット装置のインクカートリッジとアームとの位置関係を説明するための斜視図である。
【００２２】
まず、図１および図２を参照して、第１実施形態によるインクジェット装置は、キャリヤ本体１と、インクカートリッジ収納部２と、カバー３と、アーム４とを備えている。インクカートリッジ収納部２には、インクカートリッジ（インクペン）５が収納される。
【００２３】
キャリヤ本体１は、カバー３を回動可能に支持するためのカバー支持部１ａと、インクカートリッジ収納部２を回動可能に支持するための支持部１ｂとを含んでいる。インクカートリッジ収納部２は、長穴２ａと、キャリヤ本体１の支持部１ｂに係合するボス２ｂとを含んでいる。カバー３は、カム溝３ａと、キャリヤ本体１のカバー支持部１ａに係合するボス３ｂとを含んでいる。
【００２４】
アーム４は、インクカートリッジ収納部２内に、上下動可能に設置されている。このアーム４は、カバー３のカム溝３ａに係合するボス４ａと、インクカートリッジ収納部２の長穴２ａに係合するボス４ｂとを含んでいる。また、アーム４は、図７に示すような態様で、インクカートリッジ５を保持する。
【００２５】
次に、図２〜図６を参照して、第１実施形態のインクジェット装置の脱着操作について説明する。
【００２６】
まず、図２は、インクカートリッジ５が装着された状態を示している。この状態では、カバー３は閉じている。この状態から、インクカートリッジ５を取り出す際には、図３に示すように、カバー３を矢印の方向に開く。これにより、アーム４のボス４ａは、カバー３のカム溝３ａに沿って移動する。図３の状態では、アーム４およびインクカートリッジ収納部２は、まだ移動しない。
【００２７】
図３の状態からさらにカバー３を開くと、図４に示すように、アーム４のボス４ａがカバー３のカム溝３ａに沿ってさらに移動する。これにより、アーム４が前方に傾き、その結果、インクカートリッジ収納部２もボス２ｂを支点として前方に傾く。これにより、インクカートリッジ５も前方に傾く。
【００２８】
図４の状態からさらにカバー３を開くと、図５に示すように、アーム４のボス４ａがカバー３のカム溝３ａに沿って最後まで移動する。これにより、アーム４のボス４ｂがインクカートリッジ収納部２の長穴２ａに沿って上昇し、アーム４は前方斜め上方に引き上げられる。その結果、アーム４に保持されているインクカートリッジ５も前方斜め上方に引き上げられる。
【００２９】
図５の状態から図６に示すように、インクカートリッジ５を取り出す。これにより、インクカートリッジ５の取り出し操作が完了する。
【００３０】
なお、インクカートリッジ５を装着する際には、上記と逆の操作を行う。すなわち、図６に示すようにインクカートリッジ５を取り出した後、新たなインクカートリッジ５をアーム４に装着する。そして、カバー３を閉じると、図２に示した状態となる。これにより、インクカートリッジ５の装着操作が完了する。
【００３１】
第１実施形態では、上記のように、カバー３のカム溝３ａに係合するボス４ａを有するとともにインクカートリッジ５を前方上方に持ち上げるように移動可能なアーム４を設けることによって、カバー３を開けるだけで、アーム４が前方上方に移動されて、インクカートリッジ５を前方上方に押し上げることができる。その結果、隣接するインクカートリッジ５が障害となることなく、インクカートリッジ５の交換作業を容易に行うことができる。また、インクカートリッジ５を前方上方に押し上げることができるので、前方にプリンタの蓋を開けてインクカートリッジ５を取り出すタイプのプリンタにおいても、インクカートリッジ５を容易に取り出すことが可能である。
【００３２】
（第２実施形態）
図８は、本発明の第２実施形態によるインクジェット装置の全体構成を示した正面図であり、図９は、図８の側面図である。図１０〜図１２は、第２実施形態によるインクジェット装置におけるインクカートリッジの脱着操作を説明するための側面図である。
【００３３】
まず、図８および図９を参照して、第２実施形態によるインクジェット装置は、キャリヤ本体１１と、インクカートリッジ収納部１２と、カバー１３と、アーム１４とを備えている。インクカートリッジ収納部１２には、インクカートリッジ（インクペン）１５が収納される。
【００３４】
キャリヤ本体１１は、カバー１３を回動可能に支持するためのカバー支持部１１ａと、インクカートリッジ収納部１２を回動可能に支持するための支持部１１ｂとを含んでいる。インクカートリッジ収納部１２は、ボス１２ａと、キャリヤ本体１１の支持部１１ｂに係合するボス１２ｂとを含んでいる。カバー１３は、カム溝１３ａと、キャリヤ本体１１のカバー支持部１１ａに係合するボス１３ｂとを含んでいる。
【００３５】
アーム１４は、キャリヤ本体１１に対してインクカートリッジ収納部１２が移動可能なようにキャリヤ本体１１とインクカートリッジ収納部１２とを接続するためのものである。このアーム１４は、キャリヤ本体１１の支持部１１ｂに係合するボス１４ａと、インクカートリッジ収納部１２のボス１２ｂが係合する穴１４ｂとを含んでいる。
【００３６】
次に、図９〜図１２を参照して、第２実施形態のインクジェット装置の脱着操作について説明する。
【００３７】
まず、図９は、インクカートリッジ１５が装着された状態を示している。この状態から、インクカートリッジ１５を取り出す際には、図１０に示すように、カバー１３を矢印の方向に開く。これにより、インクカートリッジ収納部１２のボス１２ａは、カバー１３のカム溝１３ａに沿って移動する。これにより、アーム１４がキャリヤ本体１１の支持部１１ｂを支点として左回りに回動する。その結果、インクカートリッジ収納部２が少し斜め上方に移動する。
【００３８】
図１０の状態からさらにカバー３を開くと、図１１に示すように、インクカートリッジ収納部１２のボス１２ａがカバー３のカム溝３ａに沿って最後まで移動する。これにより、アーム１４がキャリヤ本体１１の支持部１１ｂを支点としてさらに左回りに回動する。その結果、インクカートリッジ収納部１２がさらに斜め上方に移動する。それにより、インクカートリッジ収納部１２に収納されているインクカートリッジ１５も前方斜め上方に引き上げられる。
【００３９】
図１１の状態から図１２に示すように、インクカートリッジ１５を取り出す。
【００４０】
なお、インクカートリッジ１５を装着する際には、図１２に示すようにインクカートリッジ１５を取り出した後、新たなインクカートリッジ１５をインクカートリッジ収納部１２に装着する。そして、カバー１３を閉じることによって、図９に示した状態となる。これにより、インクカートリッジ１５の装着操作が完了する。
【００４１】
第２実施形態では、上記のように、カバー１３を開くことによってアーム１４が前方上方に回動されてインクカートリッジ収納部１２が前方上方に移動されるので、容易にインクカートリッジ１５を前方上方に押し上げることができる。その結果、隣接するインクカートリッジ１５が障害となることなく、インクカートリッジ１５の交換作業を容易に行うことができる。また、インクカートリッジ１５を前方上方に押し上げることができるので、前方にプリンタの蓋を開けてインクカートリッジ１５を取り出すタイプのプリンタにおいても、インクカートリッジ１５を容易に取り出すことが可能である。
【００４２】
（第３実施形態）
図１３は、本発明の第３実施形態によるインクジェット装置の全体構成を示した正面図であり、図１４は、図１３の側面図である。図１５〜図１７は、第３実施形態によるインクジェット装置におけるインクカートリッジの脱着操作を説明するための側面図である。
【００４３】
まず、図１３および図１４を参照して、第３実施形態によるインクジェット装置は、キャリヤ本体２１と、インクカートリッジ収納部２２と、カバー２３とを備えている。インクカートリッジ収納部２２には、インクカートリッジ（インクペン）２５が収納される。
【００４４】
キャリヤ本体２１は、カバー２３を回動可能に支持するためのカバー支持部２１ａと、２つのカム溝２１ｂとを含んでいる。インクカートリッジ収納部２２は、カバー２３のカム溝２３ａに係合するボス２２ａと、キャリヤ本体２１の２つのカム溝２１ｂにそれぞれ係合する２つのボス２２ｂとを含んでいる。カバー２３は、カム溝２３ａと、キャリヤ本体２１のカバー支持部２１ａに係合するボス２３ｂとを含んでいる。
【００４５】
次に、図１４〜図１７を参照して、第３実施形態のインクジェット装置の脱着操作について説明する。
【００４６】
まず、図１４は、インクカートリッジ２５が装着された状態を示している。この状態から、インクカートリッジ２５を取り出す際には、図１５に示すように、カバー２３を矢印の方向に開く。これにより、インクカートリッジ収納部２２のボス２２ａは、カバー２３のカム溝２３ａに沿って移動する。これにより、インクカートリッジ収納部２２のボス２２ｂは、キャリヤ本体２１のカム溝２１ｂに沿って前方へ移動する。その結果、インクカートリッジ収納部２２は、前方へ移動する。
【００４７】
図１５の状態からさらにカバー２３を開くと、図１６に示すように、インクカートリッジ収納部２２のボス２２ａがカバー２３のカム溝２３ａに沿ってさらに移動する。これにより、インクカートリッジ収納部２２のボス２２ｂは、キャリヤ本体２１のカム溝２１ｂに沿って斜め上方に移動する。その結果、インクカートリッジ収納部２２が斜め上方に移動する。それにより、インクカートリッジ収納部２２に収納されているインクカートリッジ２５も前方斜め上方に引き上げられる。
【００４８】
図１６の状態からさらにカバー２３を開くと、図１７に示すように、インクカートリッジ収納部２２のボス２２ａがカバー２３のカム溝２３ａに沿ってさらに移動する。これにより、インクカートリッジ収納部２２のボス２２ｂは、キャリヤ本体２１のカム溝２１ｂに沿って前方に移動する。その結果、インクカートリッジ収納部２２が前方に移動する。それにより、インクカートリッジ収納部２２に収納されているインクカートリッジ２５も前方に移動される。
【００４９】
最後に、図１７に示す状態で、インクカートリッジ２５を取り出す。
【００５０】
なお、インクカートリッジ２５を装着する際には、インクカートリッジ２５を取り出した後、新たなインクカートリッジ２５をインクカートリッジ収納部２２に装着する。そして、カバー２３を閉じることによって、図１４に示した状態になる。これにより、インクカートリッジ２５の装着操作が完了する。
【００５１】
第３実施形態では、上記のように、カバー２３を開くことによってインクカートリッジ収納部２２のボス２２ｂがキャリヤ本体２１のカム溝２１ｂに沿って前方上方に移動されてインクカートリッジ収納部２２が前方上方に移動されるので、容易にインクカートリッジ２５を前方上方に押し上げることができる。その結果、隣接するインクカートリッジ２５が障害となることなく、インクカートリッジ２５の交換作業を容易に行うことができる。また、インクカートリッジ２５を前方上方に押し上げることができるので、前方にプリンタの蓋を開けてインクカートリッジ２５を取り出すタイプのプリンタにおいても、インクカートリッジ２５を容易に取り出すことが可能である。
【００５２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５３】
【発明の効果】
以上のように、本発明によれば、インクカートリッジの交換作業を容易に行うことができる。また、カバーを開くだけでインクカートリッジを前方上方へ押し上げることができる。
【図面の簡単な説明】
【図１】本発明の第１実施形態によるインクジェット装置の全体構成を示す正面図である。
【図２】図１に示した第１実施形態によるインクジェット装置の側面図である。
【図３】第１実施形態によるインクジェット装置におけるインクカートリッジの脱着操作を説明するための側面図である。
【図４】第１実施形態によるインクジェット装置におけるインクカートリッジの脱着操作を説明するための側面図である。
【図５】第１実施形態によるインクジェット装置におけるインクカートリッジの脱着操作を説明するための側面図である。
【図６】第１実施形態によるインクジェット装置におけるインクカートリッジの脱着操作を説明するための側面図である。
【図７】第１実施形態によるインクジェット装置のインクカートリッジとアームとの位置関係を説明するための斜視図である。
【図８】本発明の第２実施形態によるインクジェット装置の全体構成を示す正面図である。
【図９】図８に示した第２実施形態によるインクジェット装置の側面図である。
【図１０】第２実施形態によるインクジェット装置におけるインクカートリッジの脱着操作を説明するための側面図である。
【図１１】第２実施形態によるインクジェット装置におけるインクカートリッジの脱着操作を説明するための側面図である。
【図１２】第２実施形態によるインクジェット装置におけるインクカートリッジの脱着操作を説明するための側面図である。
【図１３】本発明の第３実施形態によるインクジェット装置の全体構成を示す正面図である。
【図１４】図１４に示した第３実施形態によるインクジェット装置の側面図である。
【図１５】第３実施形態によるインクジェット装置におけるインクカートリッジの脱着操作を説明するための側面図である。
【図１６】第３実施形態によるインクジェット装置におけるインクカートリッジの脱着操作を説明するための側面図である。
【図１７】第３実施形態によるインクジェット装置におけるインクカートリッジの脱着操作を説明するための側面図である。
【符号の説明】
１、１１、２１  キャリヤ本体
２、１２、２２  インクカートリッジ収納部
３、１３、２３  カバー
３ａ、１３ａ、２３ａ  カム溝（第１カム溝）
４  アーム（第１アーム部材）
４ａ  ボス（第１係合部）
５、１５、２５  インクカートリッジ（インクペン）
１２ａ  ボス（第１係合部）
１４  アーム（第２アーム部材）
２１ｂ  カム溝（第２カム溝）
２２ｂ  ボス（第２係合部）
【図１】
0004524860.tif 000002
【図２】
0004524860.tif 000003
【図３】
0004524860.tif 000004
【図４】
0004524860.tif 000005
【図５】
0004524860.tif 000006
【図６】
0004524860.tif 000007
【図７】
0004524860.tif 000008
【図８】
0004524860.tif 000009
【図９】
0004524860.tif 000010
【図１０】
0004524860.tif 000011
【図１１】
0004524860.tif 000012
【図１２】
0004524860.tif 000013
【図１３】
0004524860.tif 000014
【図１４】
0004524860.tif 000015
【図１５】
0004524860.tif 000016
【図１６】
0004524860.tif 000017
【図１７】
0004524860.tif 000018